(57)【特許請求の範囲】
【請求項１】
手に持って取り扱う幼児用玩具であって、操作部が付設されたフレームと、前記フレームに設けられ少なくとも一面側からの光の透過を阻止する複数の遮光板と、前記操作部の操作によって前記複数の遮光板の各々を回動動作させる回動手段とを備え、
前記複数の遮光板の設置部分は、近づけた操作者の顔を隠せるような大きさに構成され、
前記複数の遮光板は、遮光板の各々が矩形状に構成されその長手方向に平行な軸を中心に回動自在となっているとともに、遮光板の各々が回動した際に、前記複数の遮光板の設置部分が操作者側及び操作者とは反対側の少なくとも一方から見通せない第１位置と、操作者及び操作者とは反対側の双方から見通せる第２位置とを取り得るように遮光板の各々を並べて設けられ、
前記回動手段は、前記操作部の操作によって前記複数の遮光板の前記第１位置と前記第２位置との間の切替えを行うことを特徴とする幼児用玩具。
【請求項２】
少なくとも１つの前記遮光板の一面には絵柄が表示されていることを特徴とする請求項１記載の幼児用玩具。
【請求項３】
前記遮光板がミラーとなっていることを特徴とする請求項１又は２記載の幼児用玩具。
【請求項４】
前記操作部が前記フレームに付設されたグリップで構成され、このグリップを引っ張ることによって前記複数の遮光板を動作させるように構成されていることを特徴とする請求項１〜３いずれか記載の幼児用玩具。
【発明の詳細な説明】
【０００１】
【発明の属する技術分野】
本発明は、幼児を楽しませたり、あやしたりするのに使用される幼児用玩具に関するものである。
【０００２】
【従来の技術】
例えば従来、幼児をあやすためにガラガラが用いられている。このガラガラは振ると音が出るものであり、例えば母親がガラガラを手にとって振ることにより音を出し、その様子や出される音によって幼児をあやすものである。
また一方で、幼児をあやすために手鏡が用いられることもあり、この場合には手鏡に幼児自身の顔を映し出すことにより幼児をあやしたりしている。
【０００３】
【発明が解決しようとする課題】
しかしながら、ガラガラ、手鏡にあっては意外性に乏しく、何度も使用していると飽きられてしまうという問題があった。
【０００４】
本発明は、かかる問題点に鑑みなされたもので、意外性がある幼児用玩具を提供することを目的としている。
【０００５】
【課題を解決するための手段】
請求項１記載の幼児用玩具は、手に持って取り扱う幼児用玩具であって、操作部が付設されたフレームと、前記フレームに設けられ少なくとも一面側からの光の透過を阻止する複数の遮光板と、前記操作部の操作によって前記複数の遮光板の各々を回動動作させる回動手段とを備え、前記複数の遮光板の設置部分は、近づけた操作者の顔を隠せるような大きさに構成され、前記複数の遮光板は、遮光板の各々が矩形状に構成されその長手方向に平行な軸を中心に回動自在となっているとともに、遮光板の各々が回動した際に、前記複数の遮光板の設置部分が操作者側及び操作者とは反対側の少なくとも一方から見通せない第１位置と、操作者及び操作者とは反対側の双方から見通せる第２位置とを取り得るように遮光板の各々を並べて設けられ、前記回動手段は、前記操作部の操作によって前記複数の遮光板の前記第１位置と前記第２位置との間の切替えを行うことを特徴とする。「一面側からの光の透過を阻止する遮光板」ーを使用した場合には、例えば母親側から幼児の顔を見通せるようにし、幼児側から自分の顔しか視認できないようにすることができる。
この幼児用玩具によれば、複数の遮光板が第１位置を取る際には背後の景色が見えず、一方、複数の遮光板が第２の位置を取る際には背後の景色を見通せる。そして、この複数の遮光板の動作は操作部の操作によって行える。よって、複数の遮光板に第１位置を取らせて「いないいない」と言いつつ顔を隠し、複数の遮光板に第２位置を取らせて「ばあー」と顔を見せることが可能となる。
【０００６】
請求項２記載の幼児用玩具は、請求項１記載の幼児用玩具において、少なくとも１つの前記遮光板の一面には絵柄が表示されていることを特徴とする。ここに表示される「絵柄」はテレビキャラクタ、漫画キャラクタ、自動車、電車、飛行機、動物、人又は船等、種類を問わないが、テレビキャラクタ、漫画キャラクタ、動物又は人の顔であることが好ましい。
この幼児用玩具によれば、複数のミラーが第１位置を取る際に主面の絵柄が相手方から視認できるので、請求項１記載の幼児用玩具に比べてより興趣性が高まることになる。
【０００７】
請求項３記載の幼児用玩具は、請求項１又は２記載の幼児用玩具において、前記遮光板がミラーとなっていることを特徴とする。
この幼児用玩具によれば、複数の遮光板が第１位置を取る際に相手方の顔がミラーに映し出され、それを相手方が視認できるので、請求項１記載の幼児用玩具に比べてより興趣性が高まることになる。
【０００８】
請求項４記載の幼児用玩具は、請求項１〜３いずれか記載の幼児用玩具によれば、前記操作部が前記フレームに付設されたグリップで構成され、このグリップを引っ張ることによって前記複数の遮光板を動作させるように構成されていることを特徴とする。この場合、グリップをフレームの左右に設けて、そのグリップの少なくとも一方を操作部とし、左右のグリップ同士を離反又は接近する方向に動作させることによって、遮光板を動作させるように構成することが好ましい。また、この場合、グリップの直線運動を遮光板の回転運動に変更させるために、歯車機構、リンク機構、巻掛け伝動機構、カム機構等を用いることができる。例えば、歯車機構で構成するには、例えばラックとピニオンで構成することが可能である。
この幼児用玩具によれば、操作部がグリップで構成されているので、操作性に優れたものとなる。
【０００９】
【発明の実施の形態】
図１（Ａ），（Ｂ）には実施形態に係る幼児用玩具が示されている。この幼児用玩具１００は動物（熊）の顔の輪郭に似せたフレーム３０，３１と、フレーム３０，３１内に設けられた遮光板２０とを備えている。フレーム３０，３１には左右にグリップ１１が付設されている。そして、この幼児用玩具１００は、両手で左右のグリップ１１を握り、一方のグリップ１１を引っ張ると、幼児用玩具１００の背後の景色を見通せるようになっている。
【００１０】
この幼児用玩具１００は例えば母親が幼児をあやす場合に使用される。この場合、母親が遮光板２０の主面（図１（Ａ）の奥側）に形成されたミラーが幼児側に向くように両手で左右のグリップ１１を握る（図１（Ａ）、図２（Ａ））。この際、母親の顔が遮光板２０の背面に近づくようにし、幼児用玩具１００で幼児に対して顔を隠す。この場合、幼児側からはミラーに映し出された自分の顔が視認できることになる。続いて、母親が「いないいない」と言った後、「ばあ」を言うタイミングで一方のグリップ１１を引っ張る。すると、遮光板２０の設置部分を通して母親側からは幼児の顔が視認でき（図１（Ｂ））、幼児側からも母親の顔が視認できるようになる（図２（Ｂ））。
【００１１】
以下、この仕組みについて説明する。
【００１２】
この幼児用玩具１００は、図３に示すように、フレーム３０，３１と、カバー３２，３３とを備えている。フレーム３０，３１には中央に窓３０ａ，３１ａが設けられている。このフレーム３０，３１同士は凹部と凸部とを嵌合させることによって互いに結合可能となっている。一方、カバー３２，３３は、結合されるフレーム３０，３１内に設置される。カバー３２，３３は、結合されるフレーム３０，３１内に設置される際には、互いに縁が当接して箱を構成するようになっている。なお、このカバー３２，３３は中が見通せるように透明に構成されている。
【００１３】
箱を構成するカバー３２，３３内には矩形状の遮光板２０が複数設けられる。各遮光板２０の長手方向の両端には軸が付設され、この軸はカバー３３の凹部３３ａを経てカバー３２，３３から突出している。そして、各遮光板２０はカバー３２，３３に支持されて前記軸を中心に回動可能となっている。なお、複数の遮光板２０の軸は同一平面上に存在するように設けられている。
【００１４】
軸の一端には図４に示すような扇形状の位置決め駒２０ａが設けられている。この位置決め駒２０ａの近くには図３及び図５に示すように位置決め用スライダ４０が設置されている。この位置決め用スライダ４０には図３及び図６に示すように突起４０ａが等間隔に複数形成されている。そして、隣り合う突起４０ａの間には前記位置決め用駒２０ａが位置している。位置決め用駒２０ａの外周には互いに９０度の角度をなす２つの位置決め用面が設けられている。なお、位置決め用スライダ４０は引きばね４１によって一方向に付勢され、これによって突起４０ａと前記位置決め用面が確実に接触するようにされている。なお、位置決め駒２０ａは位置決め用スライダ４０と共に位置決め手段を構成する。
【００１５】
一方、軸の他端には図４に示すようなキノコ状の回動用駒２０ｂが付設されている。この回動用駒２０ｂの近くには図３及び図７に示すように回動用スライダ４２が設けられている。この回動用スライダ４２は可動側のグリップ１１に結合され、可動側のグリップ１１を操作した際に回動用スライダ４２が連動するようになっている。回動用スライダ４２には突起４２ａが等間隔に複数設けられ、隣り合う突起４２ａの間には回動用駒２０ｂが位置している。なお、回動用駒２０ｂ及び回動用スライダ４２は可動側のグリップ１１と共に回動手段を構成する。
【００１６】
左右のグリップ１１のうちの一方は固定グリップ、他方は可動グリップとなっていて、可動側のグリップ１１は軸１１ｂを中心に回動可能となっていると共に、図５に示す押しばね１１ａによってフレーム１０に没する方向に付勢されている。
【００１７】
続いて、前記幼児用玩具１００の動作を説明すれば、可動側のグリップ１１を引かない状態では、位置決め用駒２０ａ及び回動用駒２０ｂはそれぞれ図８（Ａ）及び図９（Ａ）の位置にある。この状態で、可動側のグリップ１１を引くと、回動用スライダ４２が可動側のグリップ１１と共に引かれて、突起４２ａが回動用駒２０ｂの柄部２０ｃを押し、遮光板２０が軸と共に回転する。そして、遮光板２０の軸が回転すると（図８（Ｂ）参照）、位置決め用駒２０ａも回転する。遮光板２０が初期位置から４５度以上回転すると、遮光板２０の回転によって突起４２ａが回動用駒２０ｂの柄部２０ｃから離れる一方で、位置決め用駒２０ａには位置決め用スライダ４０の引きばね４１の付勢力が作用するので、他の位置決め面が位置決め用スライダ４０の突起４２ａに当たるまで位置決め用駒２０ａひいては遮光板２０が急峻に回転させられることになる（図８（Ｃ））。この位置が遮光板２０が初期位置から９０度回転し、背後が見通せる位置である。
【００１８】
一方、可動側のグリップ１１の引きを止めると、押しばね１１ａによって当該グリップ１１がフレーム１０に没する方向に動作する。これによって、突起４２ａが回動用駒２０ｂの頭部２０ｄの下面を押し（図９（Ｂ）参照）、遮光板２０が軸と共に回転する。そして、遮光板２０の軸が回転すると、位置決め用駒２０ａも回転する。遮光板２０が先ほどの位置から４５度以上回転すると、遮光板２０の回転によってちょうど突起４２ａが回動用駒２０ｂの柄部２０ｃから離れる一方で、位置決め用駒２０ａには位置決め用スライダ４０の引きばね４１の付勢力が作用するので、他の位置決め面が位置決め用スライダ４０の突起４２ａに当たるまで位置決め用駒２０ａひいては遮光板２０が強制的に回転させられることになる。この位置が遮光板２０が初期位置であり、背後が見通せない位置である。
【００１９】
以上、本発明の実施形態について説明したが、本発明は、かかる実施形態に限定されないことは言うまでもない。
【００２０】
例えば、前記実施形態では、矩形の遮光板２０を横方向に並設したが、縦方向に並設してもよい。
【００２２】
さらに、前記実施形態では、手動で遮光板２０を動作させるものについて説明したが、モータを組み込み、このモータによって遮光板２０を動作させるようにしてもよい。
【００２３】
【発明の効果】
本発明によれば、遮光板の向きによって、背後の景色が見通せたり、見通せなくなったりするので、幼児の視覚に変化を与えることができ、幼児にとって興趣性の高いものとなる。
【図面の簡単な説明】
【図１】実施形態に係る幼児用玩具の使用状態を説明するための図である。
【図２】実施形態に係る幼児用玩具の使用状態を説明するための図である。
【図３】実施形態に係る幼児用玩具の分解斜視図である。
【図４】実施形態に係る幼児用玩具の遮光板の図である。
【図５】実施形態に係る幼児用玩具の内部を示す図である。
【図６】実施形態に係る幼児用玩具の位置決め手段の図である。
【図７】実施形態に係る幼児用玩具の回動手段の図である。
【図８】実施形態に係る幼児用玩具の位置決め手段の動作を示す図である。
【図９】実施形態に係る幼児用玩具の回動手段の動作を示す図である。
【符号の説明】
１００          幼児用玩具
１１            グリップ
２０            遮光板
３０，３１      フレーム
【図１】
0003802354.tif 000002
【図２】
0003802354.tif 000003
【図３】
0003802354.tif 000004
【図４】
0003802354.tif 000005
【図５】
0003802354.tif 000006
【図６】
0003802354.tif 000007
【図７】
0003802354.tif 000008
【図８】
0003802354.tif 000009
【図９】
0003802354.tif 000010